(57)【要約】【課題】空気調和機の室外機上に設けられた電装箱への虫侵入によるモジュールリード間のショート破壊を防ぐと共に、モジュールリード間へのコーティング塗布を削減してコスト低減を図る。【解決手段】プリント基板１とそのプリント基板１から浮かして搭載するモジュール２の間に、固定スペーサ４を挟んで搭載し、かつ前記モジュール２のリード部を覆う枠を前記固定スペーサ４に設け、放熱板３とビス９にて固定することで、虫の侵入によるモジュールリード間のショート破壊を防ぐと共に、コーティング材を削減することができる。【選択図】図１
2009243696.tif 000002
【特許請求の範囲】
【請求項１】
プリント基板と、前記プリント基板上に搭載する電装部品（以下モジュール）と、前記モジュールの発する熱を放熱するための金属（以下放熱板）と前記モジュールとを固定するビスと箱状で爪が設けてある形状で、前記プリント基板と前記モジュールの間に挿入して爪で前記プリント基板と固定され、さらに、前記プリント基板と前記モジュールを固定でき、かつ前記モジュールのリード部を箱形状にて覆う固定スペーサを用いたことを特徴とする空気調和機。
【発明の詳細な説明】
【技術分野】
【０００１】
本発明は、モジュールを搭載しているプリント基板において、モジュールリード部の保護を容易に実現するため固定スペーサを用いた空気調和機に関するものである。
【背景技術】
【０００２】
従来、この種の空気調和機は、プリント基板上にプリント基板から浮かして搭載するモジュ−ルを設置する時、プリント基板とモジュ−ルの間に、その双方を固定しさらにビスによって固定される部材（固定スペ−サ）を設けた構造となっている（例えば、特許文献１参照）。
【０００３】
図３は、特許文献１に記載された従来の空気調和機の室外機に取付けた固定スペ−サを示すものである。図３に示すように、プリント基板１００上に放熱板２００とモジュ−ル３００が実装され、前記プリント基板１００と前記モジュ−ル３００の間に挟んで固定スペ−サ４００を設け、さらに前記プリント基板１００、前記モジュ−ル３００、前記固定スペ−サ４００には、貫通穴、さらに前記放熱板２００にはビス穴があいておりビス５００にて固定されている。図３はそれぞれを固定した状態を示すものである。この際前記放熱板２００と前記プリント基板１００の間は、小さな虫等が進入できる隙間を有するものである。
【特許文献１】特開２００２−１１１２５０号公報
【発明の開示】
【発明が解決しようとする課題】
【０００４】
しかしながら、前記従来の構成では、プリント基板と放熱板の隙間より小さな虫が侵入し、モジュールのリード部に虫が、集中することでリード間がショート状態となり部品破壊及びプリント基板破壊につながるという課題を有していた。
【０００５】
本発明は、前記従来の課題を解決するもので、プリント基板と放熱板の隙間より小さな虫が侵入し、モジュールのリード部に虫が集中することで発生するリード間ショート状態を防止するとともに、コーティング材を塗布することなくショート状態を防止し、コスト及び作業時間を低減することを目的とする。
【課題を解決するための手段】
【０００６】
前記従来の課題を解決するために、本発明の空気調和機は、プリント基板上にプリント基板から浮かして搭載するモジュールを設置する時、プリント基板とモジュールの間に、その双方を固定しさらにビスによって固定される固定スペーサを設けかつ、前記固定スペーサに前記モジュールリード部を覆う箱型形状の枠を設けるものである。
【０００７】
これによって、プリント基板上に実装されたモジュールの部品面リード部において、コーティング材を塗布することなく、モジュールのリード部に虫が集中することで発生するリード間ショート破壊を防止することを実現するとともに、コスト及び作業時間を低減することが可能となる。
【発明の効果】
【０００８】
本発明の空気調和機は、プリント基板上にプリント基板上にプリント基板から浮かして搭載するモジュールにおいて、コーティング材を塗布することなく、モジュールのリード部に虫が集中することで発生するリード間ショート状態を防止するとともに、コスト及び作業時間を低減することが実現できる。
【発明を実施するための最良の形態】
【０００９】
本発明の空気調和機は、プリント基板上にプリント基板から浮かして搭載するモジュールを設置する時、プリント基板とモジュールの間に、その双方を固定しさらにビスによって固定される固定スペーサを設けかつ、前記固定スペーサに前記モジュールリード部を覆う箱型形状の枠を設けることでプリント基板上に実装されたモジュールの部品面リード部において、コーティング材を塗布することなく、モジュールのリード部に虫が集中することで発生するリード間ショート破壊を防止するとともに、コスト及び作業時間を低減することが実現できる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機のプリント基板構成の側面図である。
【００１２】
図１（ａ）において、１はプリント基板であり、２は前記プリント基板１の部品面側に実装されたモジュールであり、３は前記モジュール２の発する熱を放熱するための放熱板である。また、４は前記モジュール２と前記プリント基板１の間に挿入された板状の固定スペーサであり、５は前記固定スペーサ４と前記プリント基板１に引っ掛けるための固定スペーサ爪である。また、６は前記固定スペーサ４の板状スペーサ部分の周りに設けられた固定スペーサ枠である。７は、モジュールリード部であり、前記固定スペーサ枠６の枠内に収まる形状である。また、８は前記固定スペーサ４の両端に２箇所設けられた貫通穴であり、前記固定スペーサ爪５にて仮固定することで、ビス９を上方より前記貫通穴８に容易に貫通させたものである。また、１０は、コーティング材で前記プリント基板１のはんだ面側パターン及び部品リード等に塗布されている。
【００１３】
図１（ｂ）は、前記固定スペーサ４の上面図であり、図１（ｃ）は、前記固定スペーサ４の側面図である。
【００１４】
図２は、本発明に実施の形態１における空気調和機の室外機概略図である。１１は、室外機本体であり、１２は室外機天板、１３は室外ファン、１４は圧縮機である。前記室外機１１の中に、前記プリント基板１が搭載されている。
【００１５】
以上のように構成された前記箱形状の固定スペーサによるモジュールリード部のショート破壊防止について、以下その動作、作用を説明する。
【００１６】
図１において最初に、プリント基板１に設けられている穴に前記固定スペーサ爪５を挿入することにより、前記固定スペーサ４を仮固定し、その上に前記モジュール２を実装し、さらにその上に前記放熱板３を積み重ねる構造となる。さらに前記プリント基板１及び前記モジュール２には貫通穴があいており、前記放熱板３にはビス穴があいており、前記固定スペース４にも貫通穴８が設けられおり、前記ビス９にて貫通穴を通して、前記プリント基板１と前記放熱板３を固定する。また、前記モジュール２のモジュールリード部７は、前記固定スペーサ枠６の枠内に収められており、部品面側リード部は、虫等の侵入ができる隙間をなくす構造とする。
【００１７】
次に、室外機に侵入する虫等の流れ及び部品破壊の流れについて説明をすると、室外機１１において、室外機天板１２との隙間または、室外ファン１３の開口部より虫等が屋外より室外機内に侵入し、さらに前記プリント基板１まで達する。この際前記モジュール２
などの自己発熱部品及びその発熱を放熱するための前記放熱板３に虫等が寄せ集まり、前記モジュールリード部７のリード間に進入しようとするが、前記固定スペーサ枠６が、前記プリント基板１と前記放熱板３間の隙間を塞ぎ、虫等の進入を防ぎショート状態を回避する。また、前記プリント基板１のはんだ面側は、コーティング材１０が塗布されており、モジュールリード間のショート状態を防止する構造となる。
【００１８】
以上のように、本実施の形態においては、プリント基板上にプリント基板から浮かして搭載するモジュールを設置する時、プリント基板とモジュールの間に、その双方を固定しさらにビスによって固定される固定スペーサを設けかつ、前記固定スペーサに前記モジュールリード部を覆う箱型形状の枠を設けることでプリント基板上に実装されたモジュールの部品面リード部において、コーティング材を塗布することなく、モジュールのリード部に虫が集中することで発生するリード間ショート破壊を防止するとともに、コスト及び作業時間を低減することが実現できる。
【産業上の利用可能性】
【００１９】
以上のように、本発明の空気調和機は、プリント基板上にプリント基板から浮かして搭載するモジュールを設置する時、プリント基板とモジュールの間に、その双方を固定しさらにビスによって固定される固定スペーサを設けかつ、前記固定スペーサに前記モジュールリード部を覆う箱型形状の枠を設けることにより、プリント基板上に実装されたモジュールの部品面リード部において、コーティング材を塗布することなくモジュールのリード部に虫が集中することで発生するリード間ショート破壊を防止することを実現することが可能となるので、空気調和機以外の電子機器においても、プリント基板の形状に関係なく、モジュールのリード部ショート破壊を防止することの用途にも適用できる。
【図面の簡単な説明】
【００２０】
【図１】（ａ）本発明の実施の形態１におけるプリント基板構成の側面図（ｂ）同、固定スペーサの上面図（ｃ）同、固定スペースの側面図
【図２】本発明の実施の形態１における空気調和機の室外機概略図
【図３】（a）従来におけるプリント基板構成の側面図（ｂ）同、固定スペーサの上面図
【符号の説明】
【００２１】
１  プリント基板
２  モジュール
３  放熱板
４  固定スペーサ
５  固定スペーサ爪
６  固定スペーサ枠
７  モジュールリード部
８  貫通穴
９  ビス
１０  コーティング材
【図１】
2009243696.tif 000003
【図２】
2009243696.tif 000004
【図３】
2009243696.tif 000005